(57)【要約】【課題】最前に表示されるアイコンまたは文字を短時間に切り替えることができる地図表示装置を提供する。【解決手段】第１レイヤ４１には、地図２０を描画し、第２レイヤ４２には、アイコン２１ａ〜２１ｄを描画する。第３レイヤ４３には、何も描画せず、第４レイヤ４４には、ＮＥＸＴボタン２２およびＩＮＦＯボタン２３を描画する。そして、第１〜第４レイヤ４１〜４４を下から上へ重ねた画像を表示モニタ１６に表示する。ＮＥＸＴボタン２２が押圧されると、第３レイヤ４３に、最前に表示するアイコン２１ａを描画する。そして、第１〜第４レイヤ４１〜４４を下から上へ重ねた画像を表示モニタ１６に表示する。【選択図】図７
2009251217.tif 000002
【特許請求の範囲】
【請求項１】
複数のアイコン、または複数の文字列を地図に重ねて表示モニタに表示する地図表示装置において、
第１のレイヤに前記地図を描画する第１のレイヤ描画手段と、
第２のレイヤに、前記複数のアイコン、または前記複数の文字列を描画する第２のレイヤ描画手段と、
第３のレイヤに、前記複数のアイコンの中の１つのアイコン、または前記複数の文字列の中の１つの文字列を描画する第３のレイヤ描画手段と、
前記第１のレイヤ描画手段により描画された第１のレイヤの上に前記第２のレイヤ描画手段により描画された第２のレイヤを重ね、かつ前記第２のレイヤ描画手段により描画された第２のレイヤの上に前記第３のレイヤ描画手段により描画された第３のレイヤを重ねた画像を前記表示モニタに表示する表示制御手段とを備えることを特徴とする地図表示装置。
【請求項２】
請求項１に記載の地図表示装置において、
前記複数のアイコンの中から１つのアイコン、または前記複数の文字列の中から１つの文字列を選択する選択手段を備え、
前記第３のレイヤ描画手段は、  第３のレイヤに、前記選択手段により選択されたアイコン、または文字列を描画することを特徴とする地図表示装置。
【請求項３】
請求項２に記載の地図表示装置において、
前記選択手段は、前記複数のアイコンの中から前記表示モニタにおける表示画面の中央に最も近いアイコンを最初に選択し、その後、前記表示画面の中央に近いアイコンから遠いアイコンへ選択するアイコンを順次変更することを特徴とする地図表示装置。
【請求項４】
請求項３に記載の地図表示装置において、
前記選択手段は、前記表示モニタの表示画面に表示されたボタンが押圧されると、選択するアイコンを変更することを特徴とする地図表示装置。
【請求項５】
請求項３に記載の地図表示装置において、
前記地図の縮尺を変更する縮尺変更手段を備え、
前記選択手段は、前記縮尺変更手段により前記地図の縮尺が変更された後、前記複数のアイコンの中から前記表示モニタにおける表示画面の中央に最も近いアイコンを最初に選択することを特徴とする地図表示装置。
【請求項６】
請求項３に記載の地図表示装置において、
前記地図をスクロールするスクロール手段を備え、
前記選択手段は、前記スクロール手段により前記地図がスクロールされた後、前記複数のアイコンの中から前記表示モニタにおける表示画面の中央に最も近いアイコンを最初に選択することを特徴とする地図表示装置。
【請求項７】
請求項１乃至６のいずれか１項に記載の地図表示装置において、
前記アイコンは、気象情報を表示するアイコンまたは施設情報を表示するアイコンであることを特徴とする地図表示装置。
【請求項８】
請求項７に記載の地図表示装置において、
前記選択手段により選択されたアイコンに対応する気象の詳細情報または施設の詳細情報を前記表示モニタに表示することを指示する指示手段を備えることを特徴とする地図表示装置。
【発明の詳細な説明】
【技術分野】
【０００１】
本発明は、アイコンまたは文字を地図に重ねて表示する地図表示装置に関する。
【背景技術】
【０００２】
ランドマークなどの施設を地図に重ねて表示する地図表示装置が従来技術として知られている（たとえば、特許文献１）。この地図表示装置では、複数のアイコンが重なって表示される場合、全体が表示される最前面のアイコンを順次切り替えて表示する。
【特許文献１】特開２００１−３１７９５５号公報
【発明の開示】
【発明が解決しようとする課題】
【０００３】
特許文献１に記載されているような従来の地図表示装置では、最前面のアイコンを切り替える度に、すべてのアイコンを描画し直さなければならない。このため、短時間に最前に表示されるアイコンを切り替えることができないという問題点がある。
【課題を解決するための手段】
【０００４】
（１）請求項１の発明の地図表示装置は、複数のアイコン、または複数の文字列を地図に重ねて表示モニタに表示する地図表示装置において、第１のレイヤに地図を描画する第１のレイヤ描画手段と、第２のレイヤに、複数のアイコン、または複数の文字列を描画する第２のレイヤ描画手段と、第３のレイヤに、複数のアイコンの中の１つのアイコン、または複数の文字列の中の１つの文字列を描画する第３のレイヤ描画手段と、第１のレイヤ描画手段により描画された第１のレイヤの上に第２のレイヤ描画手段により描画された第２のレイヤを重ね、かつ第２のレイヤ描画手段により描画された第２のレイヤの上に第３のレイヤ描画手段により描画された第３のレイヤを重ねた画像を表示モニタに表示する表示制御手段とを備えることを特徴とする。
（２）請求項２の発明は、請求項１に記載の地図表示装置において、複数のアイコンの中から１つのアイコン、または複数の文字列の中から１つの文字列を選択する選択手段を備え、第３のレイヤ描画手段は、第３のレイヤに、選択手段により選択されたアイコン、または文字列を描画することを特徴とする。
（３）請求項３の発明は、請求項２に記載の地図表示装置において、選択手段は、複数のアイコンの中から表示モニタにおける表示画面の中央に最も近いアイコンを最初に選択し、その後、表示画面の中央に近いアイコンから遠いアイコンへ選択するアイコンを順次変更することを特徴とする。
（４）請求項４の発明は、請求項３に記載の地図表示装置において、選択手段は、表示モニタの表示画面に表示されたボタンが押圧されると、選択するアイコンを変更することを特徴とする。
（５）請求項５の発明は、請求項３に記載の地図表示装置において、地図の縮尺を変更する縮尺変更手段を備え、選択手段は、縮尺変更手段により地図の縮尺が変更された後、複数のアイコンの中から表示モニタにおける表示画面の中央に最も近いアイコンを最初に選択することを特徴とする。
（６）請求項６の発明は、請求項３に記載の地図表示装置において、地図をスクロールするスクロール手段を備え、選択手段は、スクロール手段により地図がスクロールされた後、複数のアイコンの中から表示モニタにおける表示画面の中央に最も近いアイコンを最初に選択することを特徴とする。
（７）請求項７の発明は、請求項１乃至６のいずれか１項に記載の地図表示装置において、アイコンは、気象情報を表示するアイコンまたは施設情報を表示するアイコンであることを特徴とする。
（８）請求項８の発明は、請求項７に記載の地図表示装置において、選択手段により選択されたアイコンに対応する気象の詳細情報または施設の詳細情報を表示モニタに表示することを指示する指示手段を備えることを特徴とする。
【発明の効果】
【０００５】
本発明によれば、複数のアイコンまたは複数の文字列を描画したレイヤの上に、それらのアイコンの中の１つのアイコン、またはそれらの文字列の中の１つの文字列を描画したレイヤを重ねることによって、アイコンまたは文字列を表示モニタに表示するようにした。これにより、最前に表示するアイコンまたは文字を短時間に切り替えることができる。
【発明を実施するための最良の形態】
【０００６】
−第１の実施の形態−
図１は、本発明の第１の実施の形態によるナビゲーション装置１を示す。このナビゲーション装置１は、衛星ラジオ放送による気象情報を受信し、その気象情報を地図に重ねて表示モニタ１６に表示することができる。既知の衛星ラジオ放送として、たとえば、シリウスサテライトラジオなどがある。ナビゲーション装置１は、制御回路１１、ＲＯＭ１２、ＲＡＭ１３、現在地検出装置１４、画像メモリ１５、表示モニタ１６、スピーカ１７、入力装置１８、タッチパネル１９、タッチパネルコントロール部１１０、衛星ラジオ受信部１１１、受信メモリ１１２およびディスクドライブ１１３を有している。ディスクドライブ１１３には、地図データが記憶されたＤＶＤ−ＲＯＭ１１４が装填されている。
【０００７】
制御回路１１は、マイクロプロセッサ及びその周辺回路からなり、ＲＡＭ１３を作業エリアとしてＲＯＭ１２に格納された制御プログラムを実行して各種の制御を行う。制御回路１１がＤＶＤ−ＲＯＭ１１４に記憶された地図データに基づいて所定の経路探索処理を行うと、その処理結果が推奨経路として表示モニタ１６に表示される。
【０００８】
現在地検出装置１４は車両の現在地を検出する装置である。現在地検出装置１４は、振動ジャイロ１４ａ、車速センサ１４ｂ、ＧＰＳ（Global Positioning System）センサ１４ｃなどからなる。振動ジャイロ１４ａは、車両の進行方向を検出する。車速センサ１４ｂは、車速を検出する。ＧＰＳセンサ１４ｃはＧＰＳ衛星からのＧＰＳ信号を検出する。ナビゲーション装置１は、この現在地検出装置１４により検出された車両の現在地に基づいて、地図の表示範囲や経路探索開始点などを決定する。また、車両の現在地を地図上に自車位置マークとして表示する。
【０００９】
画像メモリ１５は、表示モニタ１６に表示するための画像データを格納する。この画像データは道路地図描画用データや各種の図形データからなる。それらはＤＶＤ−ＲＯＭ１１４に記憶された地図データなどに基づいて、適宜生成される。ナビゲーション装置１は、このようにして生成された画像データを用いることによって地図表示などを行うことができる。
【００１０】
ディスクドライブ１１３は、ＤＶＤ−ＲＯＭ１１４から地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで７段階の縮尺の地図データを有する。ユーザの要求にしたがって、表示地図の縮尺を７段階に変更することができる。なお、ＤＶＤ−ＲＯＭ１１４以外の他の記録メディア、たとえばＣＤ−ＲＯＭやハードディスクなどから地図データを読み出してもよい。
【００１１】
表示モニタ１６は、地図データなどの各種情報に基づいて、自車位置付近の地図などの各種情報を画面表示としてユーザに提供する。スピーカ１７は、各種入力操作をユーザに指示したり、経路誘導したりするための音声を出力する。入力装置１８は、ユーザが各種コマンドの設定などするための操作キーを有し、操作パネル上のボタンスイッチやパネル周囲のハードスイッチなどによって実現される。入力装置１８を操作することによって、表示モニタ１６に表示されている地図の縮尺を変更させたり、地図をスクロールさせたりすることができる。ユーザは、表示モニタ１６の表示画面の指示やスピーカ１７からの音声指示にしたがって、入力装置１８を操作して目的地を設定する。また、入力装置１８を操作することによって、衛星ラジオ放送を選局することができる。
【００１２】
目的地がユーザにより設定されると、ナビゲーション装置１は現在地検出装置１４により検出された現在地を出発地とし、目的地までの経路演算を所定のアルゴリズムに基づいて行う。このようにして求められた経路（以下、推奨経路という）は、表示形態、たとえば表示色などを変えることによって、他の道路と区別して画面表示される。これにより、ユーザは地図上の推奨経路を画面上で認識することができる。また、ナビゲーション装置１は、推奨経路にしたがって車両が走行できるように、ユーザに対して画面や音声などによる進行方向指示で経路誘導を行う。
【００１３】
タッチパネル１９は、表示モニタ１５の表面に積層される透明のタッチスイッチである。表示モニタ１６に表示される画像はタッチパネル１９を通して表示される。表示モニタ１６の表示画面を押圧するとタッチパネル１９が押圧される。タッチパネル１９は、タッチパネル１９上の操作位置に応じた信号をタッチパネルコントロール部１１０に送出する。タッチパネルコントロール部１１０はその信号に基づいてタッチパネル１９の押圧位置を算出する。ユーザが、表示モニタ１６に表示された各種ボタンや表示メニューなどを指などで押圧すると、各種ボタンや表示メニューに定義された処理が実行される。
【００１４】
衛星ラジオ受信部１１１は、図示しない衛星ラジオ局から人工衛星を介して放送される衛星ラジオ放送を受信し、制御回路１１に出力する。受信された衛星ラジオ放送は、スピーカ１７より出力される。また、受信された衛星ラジオ放送の気象情報は受信メモリ１１２に記憶される。
【００１５】
衛星ラジオ放送の気象情報は、天気図の情報や、ハリケーンなどの嵐の情報、気象レーダによる雨量分布の情報、各観測地点における風向きや風力の情報などを有する。天気図の情報として、たとえば、高気圧あるいは低気圧の位置（緯度・経度）の情報、温暖前線あるいは寒冷前線の位置情報などが含まれる。嵐の情報には、ハリケーン、竜巻、あられ、メゾサイクロン、ひょう、雷雨などが発生している地域の観測位置や予想進路（移動方向）の情報などが含まれる。雨量分布の情報には、雨が降っている地域の観測位置とその位置における雨量の情報などが含まれる。
【００１６】
受信メモリ１１２は、フラッシュメモリやハードディスクなどの書き換え可能な不揮発性記録媒体によって構成される。受信メモリ１１２は、衛星ラジオ受信部１１０によって受信された気象情報を記憶する。受信メモリ１１２に記憶された気象情報は、気象情報を示すアイコンとして地図上に表示される。
【００１７】
次に、図２〜図４を参照して、重ねて表示されたアイコンの中から所望のアイコンを最前に表示させる操作について説明する。
【００１８】
図２は、不図示のメニューから気象情報表示を選択すると表示される表示モニタ１６の表示画面を説明するための図である。図２に示すように、表示画面には地図２０が表示されており、地図２０に重ねて気象情報を示すアイコン２１ａ〜２１ｄ、ＮＥＸＴボタン２２およびＩＮＦＯボタン２３が表示されている。アイコン２１ａ〜２１ｄは、表示地点の気象情報を表示する。アイコン２１ａはあられを示し、アイコン２１ｂはあられ見込みを示す。アイコン２１ｃ，２１ｅは竜巻を示し、アイコン２１ｄはメゾサイクロンを示す。ＮＥＸＴボタン２２は、表示されているアイコン２１ａ〜２１ｄの中から所定のアイコンを最前に表示させるためのボタンである。ＩＮＦＯボタン２３は最前に表示されたアイコンに対応する地点の気象情報について詳細情報を表示させるためのボタンである。アイコン２１ａは、アイコン２１ｂ、アイコン２１ｃおよびアイコン２１ｄに重なって表示されている。このため、アイコン２１ａはよく見えない。
【００１９】
図３は、アイコン２１ａを最前に表示させ、そのアイコン２１ａに対応する地点の気象情報について詳細情報を表示させる操作を説明するための図である。アイコン２１ａをよく見えるようにするため、アイコン２１ａを最前面に表示させる操作を行う。まず地図２０をスクロールさせ、アイコン２１ａを表示画面の中央に移動させる。そして、図３（ａ）に示すように、ＮＥＸＴボタン２２を押圧する。その結果、図３（ａ）に示すように、表示画面の中央に最も近い位置のアイコン２１ａが最前に表示される。これにより、アイコン２１がよく見えるようになり、ユーザはアイコン２１ａがあられを示すものであることを確認することができる。図３（ｂ）に示すように、ユーザがさらにＩＮＦＯボタン２３を押圧すると、アイコン２１ａの表示地点における気象の詳細情報を表示した気象詳細情報画面３０が表示される。気象詳細情報画面３０には、気象情報の種別「Ｈａｉｌ  Ｐｏｓｉｔｉｖｅ」（あられ）、識別名称「ＫＡＴＳＵＭＩ」、移動速度「２０ｋｍ／ｈ」、移動方向「ＮＮＷ」（北北西）、および観測時間「２０：００」が表示される。さらに、気象詳細情報画面３０には、気象詳細情報画面３０を閉じるためのＣＬＯＳＥボタン３１が表示される。
【００２０】
ＮＥＸＴボタン２２を押圧してアイコン２１ａを最前に表示させた後、さらにＮＥＸＴボタン２２を押圧すると、図４（ａ）に示すように、アイコン２１ａの次に表示画面の中央に近い位置に表示されているアイコン２１ｂが最前に表示される。さらにＮＥＸＴボタン２２を押圧すると、図４（ｂ）に示すように、アイコン２１ｂの次に表示画面の中央に近い位置に表示されているアイコン２１ｃが最前に表示される。このように、ユーザはＮＥＸＴボタン２２を繰り返し押圧することによって、最前に表示させるアイコンを表示画面の中央から外側へ移すことができる。これにより、ユーザは、表示されているアイコンの中から最前に表示させるアイコンを選択することができる。
【００２１】
図５〜図７を参照して、表示されているアイコン２１ａ〜２１ｄの中から所定のアイコンを最前に表示する処理を説明する。制御回路１１はＲＡＭ１３に４つのレイヤを描画する作業領域を設け、図５に示す４つのレイヤ４１〜４４を描画する。第１レイヤ４１には、地図２０を描画し、第２レイヤ４２には、アイコン２１ａ〜２１ｄを描画する。第３レイヤ４３には、何も描画せず、第４レイヤ４４には、ＮＥＸＴボタン２２およびＩＮＦＯボタン２３を描画する。そして、図６に示すように、第１レイヤ４１、第２レイヤ４２、第３レイヤ４３および第４レイヤ４４を下から上へ重ねた画像の画像データ５０を作成し、画像メモリ１５に格納する。これにより、図２に示す画像を表示モニタ１６に表示することができる。
【００２２】
ＮＥＸＴボタン２２が押圧されると、図７に示すように、第３レイヤ４３に、最前に表示するアイコン２１ａを描画する。そして、第１レイヤ４１、第２レイヤ４２、第３レイヤ４３および第４レイヤ４４を下から上へ重ねた画像の画像データを作成し、画像メモリ１５に格納する。これにより、図３（ａ）に示す、アイコン２１ａが最前に表示された画像を表示モニタ１６に表示することができる。
【００２３】
次に、図８のフローチャートを参照して、本発明の第１の実施の形態におけるアイコン表示処理について説明する。図８の処理は、ＮＥＸＴボタンが押圧されるとスタートするプログラムであり、制御回路１１により実行される。
【００２４】
ステップＳ８０１では、所定範囲内に表示されているアイコンの中で表示画面の中央に最も近いアイコンを検出する。ここで所定範囲とは、表示画面の中央から所定距離内の範囲（たとえば、表示画面の中央から１０ｃｍの範囲）である。ステップＳ８０２では、検出したアイコンを第３レイヤに描画する。ステップＳ８０３では、第１レイヤ、第２レイヤ、第３レイヤおよび第４レイヤを重ねた画像を表示モニタ１６に表示する。第１レイヤ、第２レイヤおよび第４レイヤには、ＮＥＸＴボタンが押圧されたときに作成されていたものを使用する。
【００２５】
ステップＳ８０４では、タッチパネルコントロール部１１０により算出されたタッチパネル１９の押圧位置に基づいて、ＮＥＸＴボタンが押圧されたか否かを判定する。ＮＥＸＴボタンが押圧された場合はステップＳ８０４が肯定判定され、ステップＳ８０５へ進む。ＮＥＸＴボタンが押圧されていない場合はステップＳ８０４が否定判定され、ステップＳ８０７へ進む。ステップＳ８０５では、所定範囲内に表示されているアイコンの中で表示画面の中央に、第３レイヤに描画されたアイコンの次に近いアイコンが存在するか否かを判定する。次に近いアイコンが存在する場合はステップＳ８０５が肯定判定され、ステップＳ８０６へ進む。次に近いアイコンが存在しない場合はステップＳ８０５が否定判定され、ステップＳ８０１に戻る。ステップＳ８０６では、第３レイヤに描画されていたアイコンを消去した後、所定範囲内に表示されているアイコンの中で、第３レイヤに描画されていたアイコンの次に表示画面の中央に近いアイコンを第３レイヤに描画する。そして、ステップＳ８０３に戻る。
【００２６】
ステップＳ８０７では、タッチパネルコントロール部１１０により算出されたタッチパネル１９の押圧位置に基づいて、ＩＮＦＯボタンが押圧されたか否かを判定する。ＩＮＦＯボタンが押圧された場合はステップＳ８０７が肯定判定され、ステップＳ８０８へ進む。ＩＮＦＯボタンが押圧されていない場合はステップＳ８０７が否定判定され、ステップＳ８０４に戻る。ステップＳ８０８では、第３レイヤに描画されたアイコンに対応する気象詳細情報画面を表示モニタ１６に表示する。ステップＳ８０９では、タッチパネルコントロール部１１０により算出されたタッチパネル１９の押圧位置に基づいて、ＣＬＯＳＥボタンが押圧されたか否かを判定する。ＣＬＯＳＥボタンが押圧された場合はステップＳ８０９が肯定判定され、アイコン表示処理を終了する。ＣＬＯＳＥボタンが押圧されない場合はステップＳ８０９を繰り返す。
【００２７】
以上の本発明の第１の実施の形態によるナビゲーション装置１は次のような作用効果を奏する。
（１）複数のアイコン２１ａ〜２１ｄを描画したレイヤ４２の上に、それらのアイコン２１ａ〜２１ｄの中の１つのアイコン２１ａを描画したレイヤ４３を重ねることによって、アイコン２１ａ〜２１ｄを表示モニタ１６に表示するようにした。これにより、レイヤ４２において、最前にアイコン２１ａが表示されたようにアイコン２１ａ〜２１ｄを再描画する必要がないので、最前に表示されるアイコン２１ａを短時間に切り替えることができる。
【００２８】
（２）表示モニタ１６の表示画面の中央に最も近いアイコン２１ａを最前に表示するようにした。したがって、ユーザは、地図２０をスクロールさせて、所望のアイコン２１ａを表示画面の中央に表示させることにより、複数のアイコン２１ａ〜２１ｄの中から最前に表示するアイコン２１ａを選択できる。
【００２９】
（３）複数のアイコン２１ａ〜２１ｄの中から表示モニタ１６における表示画面の中央に最も近いアイコン２１ａを最初に選択し、その後、表示画面の中央に近いアイコンから遠いアイコンへ選択するアイコンを順次変更するようにした。これにより、画面の中央から少し離れた他のアイコン２１ｂ，２１ｃを選択する場合、地図２０を再びスクロールする必要はないので便利である。
【００３０】
（４）所望のアイコン２１ａを最前に表示することができるアイコン２１ａ〜２１ｄは、気象情報を表示するものである。これにより、他のアイコンに隠れて見えない気象情報を確実に認識することができる。
【００３１】
（５）ＩＮＦＯボタン２３が押圧されると、最前に表示されているアイコン２１ａに対応する気象の詳細情報３０を表示するようにした。これにより、アイコン２１ａにより認識できる気象情報の他に、さらに詳しい気象情報を知ることができ、ナビゲーション装置１の利便性が向上する。
【００３２】
−第２の実施形態−
本発明の第２の実施形態では、ＮＥＸＴボタンが押圧された後、表示モニタ１６に表示された地図の縮尺が変更されると、表示画面の中央に最も近いアイコンが最前に表示されるようにする。本発明の第２の実施形態によるナビゲーション装置の構成は、第１の実施形態によるナビゲーション装置１の構成と共通する。したがって、本発明の第２の実施形態によるナビゲーション装置１の構成についての説明は省略する。
【００３３】
次に、図９のフローチャートを参照して、本発明の第２の実施の形態におけるアイコン表示処理について説明する。図９の処理は、ＮＥＸＴボタンが押圧されるとスタートするプログラムであり、制御回路１１により実行される。図８の処理と同じステップについては同じ符号を付し、図８の処理と異なる部分を主に説明する。
【００３４】
ステップＳ８０３の次にステップＳ９０１に進む。ステップＳ９０１では、地図の縮尺が変更されたか否かを判定する。地図の縮尺が変更された場合はステップＳ９０１が肯定判定され、ステップＳ８０１に戻る。地図の縮尺が変更されていない場合はステップＳ９０１が否定判定され、ステップＳ８０４に進む。
【００３５】
以上の本発明の第２の実施の形態によるナビゲーション装置は次のような作用効果を奏する。
ＮＥＸＴボタン２２を複数回押圧し、最前に表示するアイコンを切り替えているときに最前に表示したアイコンを覚えていても、地図の縮尺を変更すると今まで最前に表示したアイコンを忘れてしまう場合がある。これは、地図の表示が変更されたことに気を取られ、最前に表示したアイコンの記憶が消えてしまうからである。このような状態で、ＮＥＸＴボタン２２を押圧すると、予想していなかったアイコンが最前に表示され、所望のアイコンを最前に表示させるためにはどうすればよいかとユーザは混乱してしまう。しかし、本発明の第２の実施の形態では、地図の縮尺が変更された後、改めて表示画面の中央に最も近いアイコンから、ＮＥＸＴボタン２２が押圧されるごとに最前に表示させるアイコンが切り替わる。したがって、ユーザは上述のように混乱することはない。
【００３６】
−第３の実施形態−
本発明の第３の実施形態では、ＮＥＸＴボタンが押圧された後、表示モニタ１６に表示された地図がスクロールされると、スクロールされた後の表示画面の中央に最も近いアイコンが最前に表示されるようにする。本発明の第３の実施形態によるナビゲーション装置の構成は、第１の実施形態によるナビゲーション装置１の構成と共通する。したがって、本発明の第３の実施形態によるナビゲーション装置１の構成についての説明は省略する。
【００３７】
次に、図１０のフローチャートを参照して、本発明の第３の実施の形態におけるアイコン表示処理について説明する。図１０の処理は、ＮＥＸＴボタンが押圧されるとスタートするプログラムであり、制御回路１１により実行される。図８の処理と同じステップについては同じ符号を付し、図８の処理と異なる部分を主に説明する。
【００３８】
ステップＳ８０３の次にステップＳ１００１に進む。ステップＳ１００１では、地図がスクロールされたか否かを判定する。地図がスクロールされた場合はステップＳ１００１が肯定判定され、ステップＳ８０１に戻る。地図がスクロールされていない場合はステップＳ１００１が否定判定され、ステップＳ８０４に進む。
【００３９】
以上の本発明の第３の実施の形態によるナビゲーション装置は次のような作用効果を奏する。
表示モニタ１６に表示された地図がスクロールされると、スクロールされた後の表示画面の中央に最も近いアイコンが最前に表示されるようにした。これにより、地図をスクロールさせた後、改めて１つのアイコンを最前に表示させる操作を行う必要がないので、便利である。
【００４０】
以上の実施の形態を次のように変形することができる。
（１）最前に表示されるものを切り替えることができるアイコンは、気象情報を表示するアイコンに限定されない。たとえば、図１１に示すように施設を表示するアイコンでもよい。ここで、アイコン６１ａはコンビニエンスストアを示し、アイコン６１ｂはガソリンスタンドを示す。アイコン６１ｃはハンバーガショップを示し、アイコン６１ｄは銀行を示す。アイコン６１ｅはカーショップを示す。
【００４１】
図１１（ａ）に示すように、表示画面の中央に表示されているアイコン６１ａは、他のアイコン６１ｂ〜６１ｅと重なって表示されており、アイコン６１ａの視認性が悪い。このアイコン６１ａを最前に表示させる場合、図１１（ｂ）に示すように、ユーザは地図６０に重ねて表示されているＮＥＸＴボタン６２を押圧する。その結果、図１１（ｂ）に示すように、アイコン６１ａは最前に表示される。また、ＩＮＦＯボタンを押圧するとアイコン６１ａに対応する施設の詳細情報を表示した不図示の詳細情報画面が表示モニタ１６に表示される。詳細情報画面には、施設の名称、施設の住所、施設の電話番号、施設の営業時間などの情報が表示される。
【００４２】
この場合もＮＥＸＴボタン６２が押圧されると、図１２に示すように、第３レイヤ７３に、最前に表示するアイコン６１ａを描画する。そして、第１レイヤ７１、第２レイヤ７２、第３レイヤ７３および第４レイヤ７４を下から上へ重ねた画像の画像データを作成し、画像メモリ１５に格納する。これにより、図１１（ｂ）に示すアイコン６１ａが最前に表示された画像を表示モニタ１６に表示することができる。
【００４３】
この場合も、アイコン６１ａが最前に表示されるようにアイコンを全て描画し直す処理より、最前に表示するアイコン６１ａのみを描画する処理の方が短時間に完了するため、最前に表示されるアイコン６１ａを短時間に切り替えることができる。
【００４４】
（２）最前に表示されるものを切り替えることができるものは、アイコン以外に文字列であってもよい。たとえば、施設の名称を吹き出し内の文字列で表示する場合について説明する。図１３（ａ）に示すように、吹き出し８１の文字列は吹き出し８２によって視認できない。そこで、所定の操作によって、図１３（ｂ）に示すように吹き出し８１の文字列を最前に表示するようにする。
【００４５】
この場合、図１４に示すように、吹き出しを描画した第３レイヤ９３に重ねて、最前に表示する吹き出し８１を描画した第４レイヤ９４を表示する。ここで、第１レイヤ９１には地図を描画し、第２レイヤ９２には自車位置マークを描画する。第１レイヤ９１、第２レイヤ９２、第３レイヤ９３および第４レイヤ９４を下から上へ重ねた画像の画像データを生成し、画像メモリ１５に格納する。これにより、図１３（ｂ）に示すような吹き出し８１の文字列が最前に表示された表示画面を表示モニタ１６に表示することができる。
【００４６】
吹き出し８１が最前に表示されるように吹き出しを全て描画し直す処理より、最前に表示する吹き出し８１のみを描画する処理の方が短時間に完了するため、最前に表示される文字列を短時間に切り替えることができる。
【００４７】
（３）ＮＥＸＴボタン２２を押圧するごとに、表示画面の中央に近いアイコンから遠いアイコンへ選択するアイコンを変更するようにした。しかし、ＮＥＸＴボタン２２を１回押圧すると、所定時間間隔で自動的に表示画面の中央に近いアイコンから遠いアイコンへ選択するアイコンが変更するようにしてもよい。ＮＥＸＴボタン２２を何度も押圧する必要がないので便利である。
【００４８】
本発明は、地図表示装置であれば、ナビゲーション装置に限定されない。たとえば、本発明は、地図を表示するＰＤＡ（Personal Digital Assistants）、モバイルＰＣ（Personal Computer）などの情報端末にも適用できる。
【００４９】
実施形態と変形例の一つ、もしくは複数を組み合わせることも可能である。変形例同士をどのように組み合わせることも可能である。
【００５０】
以上の説明はあくまで一例であり、発明は、上記の実施形態に何ら限定されるものではない。
【００５１】
特許請求の範囲の要素と実施の形態との対応関係を説明する。
本発明の第１のレイヤ描画手段、第２のレイヤ描画手段、第３のレイヤ描画手段および表示制御手段は制御回路１１に対応する。選択手段は制御回路１１、タッチパネル１９およびタッチパネルコントロール部１１０に対応し、縮尺変更手段、スクロール手段および指示手段は制御回路１１および入力装置１８に対応する。なお、以上の説明はあくまで一例であり、発明を解釈する上で、上記の実施形態の構成要素と本発明の構成要素との対応関係になんら限定されるものではない。
【図面の簡単な説明】
【００５２】
【図１】本発明の第１の実施の形態によるナビゲーション装置の構成を示すブロック図である。
【図２】不図示のメニューから気象情報表示を選択すると表示される表示モニタ１６の表示画面を説明するための図である。
【図３】視認性の悪いアイコンを最前に表示させ、そのアイコンに対応する地点の気象情報について詳細情報を表示させる操作を説明するための図である。
【図４】ＮＥＸＴボタンを押圧して所定のアイコンを最前に表示させた後、さらにＮＥＸＴボタン２２を押圧したときに表示される表示モニタの表示画面を説明するための図である。
【図５】第１の実施の形態における表示画面の中央に最も近いアイコンを最前に表示する処理を行う前の４つのレイヤに描画された画像を説明するための図である。
【図６】４つのレイヤを重ねて表示することによりアイコンを表示した地図を表示する処理を説明するための図である。
【図７】第１の実施の形態における表示画面の中央に最も近いアイコンを最前に表示する処理を行ったときの４つのレイヤに描画された画像を説明するための図である。
【図８】本発明の第１の実施の形態におけるアイコン表示処理を説明するためのフローチャートである。
【図９】本発明の第２の実施の形態におけるアイコン表示処理を説明するためのフローチャートである。
【図１０】本発明の第３の実施の形態におけるアイコン表示処理を説明するためのフローチャートである。
【図１１】施設を表示する所定のアイコンを最前に表示させる操作を説明するための図である。
【図１２】施設を表示する所定のアイコンを最前に表示させるときの４つのレイヤに描画された画像を説明するための図である。
【図１３】所定の文字列を最前に表示させることについて説明するための図である。
【図１４】所定の文字列を最前に表示させるときの４つのレイヤに描画された画像を説明するための図である。
【符号の説明】
【００５３】
１  ナビゲーション装置
１１  制御回路
１６  表示モニタ
１９  タッチパネル
２０，６０，８０  地図
２１ａ〜２１ｅ，６１ａ〜６１ｅ  アイコン
２２，６２  ＮＥＸＴボタン
２３，６３  ＩＮＦＯボタン
３０  気象詳細情報画面
３１  ＣＬＯＳＥボタン
４１〜４４，７１〜７４，９１〜９４  レイヤ
８１，８２  吹き出し
１１０  タッチパネルコントロール部
１１１  衛星ラジオ受信部
１１２  受信メモリ
１１３  ディスクドライブ
１１４  ＤＶＤ−ＲＯＭ
【図１】
2009251217.tif 000003
【図２】
2009251217.tif 000004
【図３】
2009251217.tif 000005
【図４】
2009251217.tif 000006
【図５】
2009251217.tif 000007
【図６】
2009251217.tif 000008
【図７】
2009251217.tif 000009
【図８】
2009251217.tif 000010
【図９】
2009251217.tif 000011
【図１０】
2009251217.tif 000012
【図１１】
2009251217.tif 000013
【図１２】
2009251217.tif 000014
【図１３】
2009251217.tif 000015
【図１４】
2009251217.tif 000016